(57)【要約】 【課題】使い捨て式の携帯用歯ブラシを提供する。【解決手段】携帯用歯ブラシを中空体からなる握り部２０とキャップとで構成し、表面にブラシ１７を植設したブラシ本体１５を握り部２０の先端部に形成したブラシ支持部１３の先端の突起１８に着脱自在に取り付ける構成により、歯ブラシを使い捨て可能にする一方、握り部２０の内部にスペア用ブラシ本体１５を収納する構成により、複数回の使用を可能にした。                                                              【選択図】図２
2006239451.tif 000002
【特許請求の範囲】
【請求項１】
ブラシ本体を収納する中空筒体の先端にブラシ支持部を設け、そのブラシ支持部の先端の突起にブラシ本体を着脱自在に取付け、その取付けはブラシ支持部先端近傍に取付けたフックをブラシ本体の切欠き部に付勢嵌合させて行うようにした携帯用歯ブラシ。
【請求項２】
ブラシ支持部を覆うキャップの外側にはフック又は鏡を取付け、さらにキャップの内部は仕切り部材により仕切った請求項１に記載の携帯用歯ブラシ。
【発明の詳細な説明】
【技術分野】
【０００１】
本発明は、携帯用歯ブラシに関し、特に複数個のブラシ本体を収納可能にした携帯用歯
ブラシに関する。
【背景技術】
【０００２】
携帯用歯ブラシとして、従来特許文献１に記載されているようなものが提案されている
。
この携帯用歯ブラシは、図６に示すように、持ち手部が上部柄体２と下部柄体１とに分
割され、ブラシ毛４が植設された支持棒３を上部柄体２を貫通して立設した形状の歯ブラ
シと、小型のチュ−ブ７に内蔵された歯みがきとを備え、下部柄体１にチュ−ブ７を納置
するための収納穴９と、チュ−ブ７から歯みがきを押し出すための押し出し機構を設け、上部柄体２の内部にチュ−ブ７の頭部８を取り付けるための連結部１ａを形成し、支持棒３の内部に、押し出された歯みがきをブラシ毛４まで案内するための導出孔２ａを設けた構成となっている。
【特許文献１】特許公開２００１−２３８７３０号公報
【発明の開示】
【発明が解決しようとする課題】
【０００３】
上述の従来の携帯用歯ブラシはブラシ毛４が植設された歯ブラシが上部柄体２に固定さ
れた構成である。ところで、一般に、携帯用歯ブラシは、外出先で使用されることが多い
。しかしながら、外出先などでは水を十分使用できないようなケ−スが多く、そのような
場合には、使用後にブラシ毛４を十分に洗浄できず、衛生上の問題があるという課題があ
る。
本発明は、従来の携帯用歯ブラシにおけるこのような課題を解決しようとするのである
。
【課題を解決するための手段】
【０００４】
本発明は、ブラシ毛が植設された歯ブラシ（以下「ブラシ本体」という）を携帯用歯ブ
ラシの本体に対して着脱自在な構成とすることにより、ブラシ本体を使い捨て方式にして
、つまり使用済みのブラシ本体を携帯用歯ブラシの本体から取り外して捨ててしまう構成とすることで衛生上の課題を解決するとともに、本体にスペア用の複数個のブラシ本体を収納しておく構成とすることで、多数回の使用を可能にした点を特徴とする。
【０００５】
すなわち、本発明は、ブラシ本体を収納する中空筒体の先端にブラシ支持部を設け、そのブラシ支持部の先端の突起にブラシ本体を着脱自在に取付け、その取付けはブラシ支持部先端近傍に取付けたフックをブラシ本体の切欠き部に付勢嵌合させて行うようにした携帯用歯ブラシからなる。
【０００６】
また、本件発明は上記の携帯用歯ブラシにおいて、ブラシ支持部を覆うキャップの外側にはフック又は鏡を取付け、さらにキャップの内部は仕切り部材により仕切った携帯用歯ブラシをもその特徴とする。
【発明の効果】
【０００７】
本発明の携帯用歯ブラシは、ブラシ本体が携帯用歯ブラシの本体に対して着脱自在な構
成であることから、ブラシ本体を使い捨て方式にして、つまり使用済みのブラシ本体を携
帯用歯ブラシの本体から簡単に取り外して捨ててしまうことができるので、衛生上の課
題を解決できる。
また、ブラシ支持部１３はキャップ３０でカバ−されているから携帯用歯ブラシを清潔
状態を保持でき、しかも全体形状が偏平な小判型でコンパクトな形状であるから、たとえ
ば衣服のポケットなどに挿入し、ポケットの縁部などにフック３１を引っかけて携行する
ことができる。
さらに、握り部２０の内部に形成されている収納スペ−ス２９内にスペア用の複数個のブラシ本体１５が納められているので、複数回の使用が可能である。
【発明を実施するための最良の形態】
【０００８】
以下、本発明を図面に示す実施形態により具体的に説明する。
この実施形態の携帯用歯ブラシは、握り部２０を兼用する本体１０と、キャップ３０と
で構成される。  
本体１０の基端側のほぼ半分（図１における右半分）は全体形状が側面視偏平な小判型
の中空筒体１１で形成された握り部２０を形成しており、中空筒体１１の底部に同底部を
閉鎖するための底蓋１２がヒンジ１２ａにより取り付けられている。  
本体１０の先側の半分（図１における左半分）は握り部２０よりも細いほぼ正方形断面
の柱体で形成されたブラシ支持部１３を形成していて、握り部２０とブラシ支持部１３と
は一体形成されている。ブラシ支持部１３と握り部２０との結合部はゆるやかな曲面１４
に形成されている。握り部２０およびブラシ支持部１３の素材としては合成樹脂が望まし
い。
【０００９】
ブラシ支持部１３の先端部に、フック２１の支持部２２ａと突起１８とがこの順に設け
られており、突起１８にブラシ１７を備えたブラシ本体１５が着脱自在に取り付けられる
ようになっている。突起１８の尖端部にコイルバネ２７が設けられている。つまり、フック２１には両支持部２２ａ間に取付けた軸２２を貫通する長孔３１が設けてあり、そのフック２１をその軸２２に取付けると共に、その下にはバネ２３が位置して、そのバネ２３によりフック２１は常に押し上げられている。
フック２１の先端側に下方に向けて係合爪２１ａが取付けてあるので、その係合爪２１ａはバネ２３によりブラシ本体１５の切欠き部１９に嵌合される。
【００１０】
ブラシ本体１５はほぼ立方体状の基体１６と基体１６の表面に植設したブラシ１７とを
備え、基体１６の側面に孔１６ａが形成されている。一方、上述の通りブラシ支持部１３
の先端には突起１８が形成されており、孔１６ａに突起１８を嵌入させることにより、ブ
ラシ本体１５をブラシ支持部１３の先端部に着脱自在に取り付けることができるようにな
っている。
【００１１】
ブラシ本体１５の基体１６の裏面（ブラシ１７の植設された面の反対の面）に、ブラシ
本体１５をブラシ支持部１３の先端部に取り付けた時にその状態をロックするためのロッ
ク用のフック２１が係合する切欠き部１９が形成されている。              
ブラシ支持部１３の先端部のフック２１の支持部２２ａに、フック２１が軸２２を介して回転可能に支持されており、フック２１は軸２２に取り付けられたバネ２３により常にカ−トリッジ１５のブラシ支持部１３の先端への取り付けをロックする方向に付勢されている。符号２４は軸２２の軸受けを、符号２１ａはフック２１の先端に形成した係合爪を示しており、この係合爪２１ａが切欠き部１９の段部に係合して上記のロック状態が保持される。
【００１２】
フック２１の取り付け箇所の周囲は透明のナイロンカバ−で覆われていて、フック２１付近への水などの浸入を防止できる構造になっている。フック２１のロック解除操作はこのナイロンカバ−２５の外からフック２１を押圧することにより行う。ブラシ支持部１３の先端部寄りのところにフック２１の回転用スペ−スが形成されて、フック２１のロック解除方向への回転操作がスム−ズに行えるようになっている。
【００１３】
図１および図２に示した例では、ブラシ本体１５をブラシ支持部１３の先端部に取り付けた時にその状態をロックするロック機構を、ブラシ本体１５の一面に設けられている。
【００１４】
握り部２０の内部はブラシ本体１５の収納スペ−ス２９を形成している。この例では５
個のブラシ本体１５がカ−トリッジ４０に納められて収納スペ−ス２９に収納される。
【００１５】
不使用時（ブラシ本体１５をブラシ支持部１３から取り外した状態の時）に、ブラシ支
持部１３をキャップ３０でカバ−しておく。キャップ３０は握り部２０とほぼ同じ形状の
中空体からなり、その平面状の一面に、図３、４に示す通り、衣服のポケットなどに掛か
り合うフック３１が、その反対側の面には鏡３２がそれぞれ取り付けられている。
キャップ３０の内部は仕切り部材３３により仕切られて収納部３４が形成されている。
この収納部３４は、たとえば歯間ブラシやつまようじなどの収納スペ−スとして使用でき
る。キャップ３０の上面に収納部３４の閉鎖用の蓋３５がバネ等で閉鎖方向に付勢された状態で取り付けられている。
【００１６】
使用に際しては、収納スペ−ス２９から底蓋１２を開いてカ−トリッジ４０を取り出し、ブラシ本体１５を取り出したら、カートリッジ４０を元に戻す。この操作により、一番手前に位置しているブラシ本体１５の基体１６に形成された孔１６ａにブラシ支持部１３に形成された突起１８が嵌入し、フック２１が反ロック方向に回転する。さらにブラシ本体１５を差し込む（押し込む）と、フック２１はその先端に形成した係合爪２１ａが切欠き部１９の段部に係合する方向にバネ２３の復元力で回転し、ブラシ本体１５のブラシ支持部１３の先端への取り付けをロックする状態となり、この状態が保持される。
【００１７】
このまま握り部２０を握ってブラシ支持部１３からキャップ３０を引き抜くと、１個のブラシ本体１５をブラシ支持部１３の先端にロックした状態で取り出すことができる。その後カ−トリッジ４０は収納スペ−ス２９に戻す。ブラシ支持部１３がカ−トリッジ４０の一番奥に位置しているブラシ本体１５を取り出し得る長さを有することはいうまでもない。
このようにして、ブラシ本体１５の基体１６に形成された孔１６ａにブラシ支持部１３
に形成された突起１８を嵌入させるようにブラシ本体１５を基体１６に差し込むと、フッ
ク２１が反ロック方向に回転する。さらにブラシ本体１５を押し込むと、フック２１はそ
の先端に形成した係合爪２１ａが切欠け部１９の段部に係合する方向にバネ２３の復元力
で回転し、ブラシ本体１５のブラシ支持部１３の先端への取り付けをロックする状態とな
る。このような簡単な操作でブラシ本体１５のブラシ支持部１３への取り付けを行うこと
ができる。
【００１８】
ブラシ本体１５をブラシ支持部１３の先端へ取り付けたあと、握り部２０を握り、通常
の歯磨きをおこない、歯磨き完了後、ブラシ本体１５をブラシ支持部１３の先端から取り
外す。
【００１９】
この取り外しは次の操作でおこなう。
ブラシ本体１５をブラシ支持部１３の先端へ取り付けた状態において、フック２１を押
圧すると、フック２１は反ロック方向に回転し、ロック状態が解除される。そうすると、
コイルバネ２７の復元力でブラシ本体１５の先端に取り付けられていたブラシ支持部１３
がブラシ本体１５の先端から離れる方向に押し出される。これを手で摘まむことによりブ
ラシ支持部１３をブラシ本体１５から取り外すことができる。取り外したブラシ本体１５
は捨てる。あるいは洗浄後カ−トリッジ４０内に戻してもよい。
【００２０】
歯ブラシの不使用時、すべてのブラシ本体１５をカ−トリッジ４０内に収納し、かつカ
−トリッジ４０は本体１０の収納スペ−ス２９に収納し、底蓋１２を閉じる。底蓋１２の
先端には鉤状に屈曲部１２ｂが形成されていて、これが中空筒体１１に突設した突起１１
ａに係合し、底蓋１２の閉鎖状態は保持できる。
ブラシ支持部１３をキャップ３０でカバ−することにより、この携帯用歯ブラシを清潔
状態を保持しながら、たとえば衣服のポケットなどに挿入し、ポケットの縁部にフック３
１を引っかけて携行することができる。
【図面の簡単な説明】
【００２１】
【図１】本発明の一実施形態に係る携帯用歯ブラシの断面図。
【図２】同キャップを取外し、かつ一部を分解して示す斜視図。
【図３】同キャップの正面図。
【図４】同キャップの裏面図。
【図５】同キャップの斜視図。
【図６】従来の携帯用歯ブラシの断面図。
【符号の説明】
【００２２】
１０：本体
１１：中空筒体
１２：底蓋
１３：ブラシ支持部
１５：ブラシ本体
１６：基体
１７：ブラシ
１８：突起
２０：握り部
２１：フック
２３：バネ
２５：ナイロンカバ−
２９：収納スペ−ス
３０：キャップ
３４：収納部
３５：蓋；
４０：カ−トリッジ
【図１】
2006239451.tif 000003
【図２】
2006239451.tif 000004
【図３】
2006239451.tif 000005
【図４】
2006239451.tif 000006
【図５】
2006239451.tif 000007
【図６】
2006239451.tif 000008